(57)【要約】【課題】  着用感や通気性を害することなく履き物自体において足温効果を発揮することができる履き物を提供する。【解決手段】  スリッパの布地性被覆材、短靴および長靴３０等の履き物の内張り用の布地製ライナ３１Ｓ，３２Ｓに遠赤外線放射機能を有するセラミックスパウダを付与する。セラミックスパウダは、使用中における脱落を阻止する観点から、軟質基材に混練してなる遠赤外線放射組成物として付与する。また、付与の形態は、本来の被覆材やライナ３１Ｓ，３２Ｓの足触り感や通気性を阻害しないようにする観点から、スポット状の多数個の基本図形５…が集合してなる斑点模様１５の形態で付与する。【選択図】  図４
0003120370.tif 000002
【実用新案登録請求の範囲】
【請求項１】
足の甲部と爪先部とを一体的に覆う甲型部材と、該甲型部材に対し、甲型部材の底開口部を塞ぐように取り付ける足型部材とを備え、該足型部材と前記甲型部材の内面を布地製の被覆材によって被覆してなるスリッパ類において、前記被覆材の表面に遠赤外線放射組成物による斑点模様を付与してなり、
前記遠赤外線放射組成物は、軟質基材に珪素系のセラミックスパウダを混練して調製されていることを特徴とするスリッパ。
【請求項２】
足の甲部と爪先部および足の両側から踵部を一体的に覆う甲型部材と、該甲型部材に対し、甲型部材の底開口部を塞ぐように取り付ける靴底部材とを備え、前記甲型部材の内面と靴底部材の内面とを布地製のライナによって裏打ちしてなる短靴類において、少なくとも前記甲型部材のライナの表面に遠赤外線放射組成物による斑点模様を付与してなり、
前記遠赤外線放射組成物は、軟質基材に珪素系のセラミックスパウダを混練して調製されていることを特徴とする短靴。
【請求項３】
足の甲部と爪先部および足の両側から踵部を足のすね部に及んで一体的に覆う甲型部材と、該甲型部材に対し、甲型部材の底開口部を塞ぐように取り付ける靴底部材とを備え、前記甲型部材の内面と前記靴底部材の内面とを布地製のライナによって裏打ちしてなる長靴類において、少なくとも前記甲型部材のライナの表面に遠赤外線放射組成物による斑点模様を付与してなり、
前記遠赤外線放射組成物は、軟質基材に珪素系のセラミックスパウダを混練して調製されていることを特徴とする長靴。
【請求項４】
前記遠赤外線放射組成物を組成する軟質基材が滑り止め機能を有するゴム系樹脂であることを特徴とする請求項１に記載のスリッパ、請求項２に記載の短靴または請求項３に記載の長靴。
【考案の詳細な説明】
【技術分野】
【０００１】
本考案は、着用者の足に直接に接し、または、足に直接に対面するスリッパ類、短靴類および長靴類の内装材、内張りまたはライナに対し、斑点模様を形成するように点々とした態様で遠赤外線放射組成物を付与することによって、着用者の足部に快適な温暖感を与えるようにしたスリッパ類、短靴類および長靴類に関する。
【背景技術】
【０００２】
セラミックスパウダ等の遠赤外線放射物質を衣類等に含ませることによって、着用者に快適な温暖感を与えようとする発想は、従来より周知され、履き物類に関しては、例えば、次に示すように、主に靴の中敷きに適用例が多く存在している。
【特許文献１】特開２００１−２８６３０４号公報
【０００３】
履き物類に対してセラミックスを適用するには、本来、履き物自体の内面全体に適用することが好ましいのは言うまでもない。しかし、履き物状態自体に対する適用例はなく、適用例は、特許文献１に示すように履き物に別途に装着する中敷きに限られている。
【０００４】
セラミックスが、例えば、履き物類の内面全体に貼着する内装材料等に適用されることなく、別途に装着する中敷きに限られる理由を考慮するに、中敷きは、セラミックス保持させるに好都合な厚みを有し、また、足型相当の外形を有する平面的な形状で足りるので、セラミックスを脱落のおそれなく付与することが容易であるということに他ならない。
【考案の開示】
【考案が解決しようとする課題】
【０００５】
履き物類の内面全体に貼着する内装材料等には、３次元曲面で構成される履き物類の内面に密着させるための薄さと変形容易性が要求される。薄さと変形容易性をを維持して履き物の内装材料、いわゆる、内装用のライナ、被覆材、内張り材料に微粒子粉体であるセラミックスを脱落のおそれなく付与することは、技術的に容易ではない。
【０００６】
履き物の内装材料に単にセラミックスパウダを塗り込んだのみでは、歩行動作中の履き物の変形や足との擦れ合いによって、簡単にセラミックスパウダが脱落してしまうからである。一方、脱落を阻止するために粘着性の基材等を介してセラミックスパウダを付与する場合には、履き物の通気性が損なわれるとともに、べた付くような足触りの悪さを感じるようになる。
【０００７】
本考案は、履き物の内装材に対して、着用感や通気性を害することなく基材を使用してセラミックスパウダを安定に付与することによって、中敷きに依存することなく履き心地が良好であって、それ自体において暖かい履き物、具体的には、スリッパ類、短靴類および長靴類を提供することを目的とする。
【課題を解決するための手段】
【０００８】
この目的を達成するための手段として、本考案は、次のような構成を採用する。
【０００９】
本考案の請求項１に記載のスリッパは、足の甲部と爪先部とを一体的に覆う甲型部材と、甲型部材に対して甲型部材の底開口部を塞ぐように取り付ける足型部材とを備え、足型部材と甲型部材の内面を布地製の被覆材によって被覆してなるスリッパ類において、被覆材の表面に遠赤外線放射組成物による斑点模様を付与してなり、遠赤外線放射組成物は、軟質基材に珪素系のセラミックスパウダを混練して調製されていることを特徴とする。
【００１０】
上記構成において、遠赤外線放射組成物を組成するセラミックスパウダには、珪素系のものが使用される。珪素系のセラミックスパウダは、人体に対して刺激性が少ない遠赤外線放射物質として周知の使用実績が認められている。このセラミックスパウダは、粉体の状態ではなく、軟質基材と混練されることによって粘着性を有する組成物としてスリッパの被覆材に付与される。したがって、遠赤外線放射組成物が被覆材の繊維と絡まることによって、容易には剥落しない耐久力のある一体化が実現される。また、スリッパの被覆材に対して遠赤外線放射組成物は、斑点模様を形成するような態様で付与される。すなわち、着用者の足とスリッパの被覆材とが遠赤外線放射組成物によって全面的に遮断されるような事態が防止され、被覆材本来の足触り感や通気性も確保される。遠赤外線放射組成物に含まれるセラミックスパウダは、温暖機能を主とする所定の機能を発揮し、特に冬場において快適な足温作用を奏することができる。斑点模様は、足と被覆材との間の摩擦力を増加させ、歩行動作中におけるスリッパ類特有の抜け取れ感を防止することができる。なお、セラミックスパウダが発する遠赤外線には、殺菌効果や乾燥効果もあるとする主張があるが、事実のようである。
【００１１】
本考案の請求項２に記載の短靴は、足の甲部と爪先部および足の両側から踵部を一体的に覆う甲型部材と、甲型部材に対し、甲型部材の底開口部を塞ぐように取り付ける靴底部材とを備え、甲型部材の内面と靴底部材の内面とを布地製のライナによって裏打ちしてなる短靴類において、少なくとも甲型部材のライナの表面に遠赤外線放射組成物による斑点模様を付与してなり、遠赤外線放射組成物は、軟質基材に珪素系のセラミックスパウダを混練して調製されていることを特徴とする。
【００１２】
上記構成における遠赤外線放射組成物の機能や、これを斑点模様として付与する趣旨は、請求項１に記載の考案におけると同様である。なお、上記構成におけるライナとは、靴の中敷きの意味ではなく、短靴を形成している皮革、合成皮革、合成ゴム等の内側面に足触り感を和らげるとともに外観を整える目的で貼着されている内張り材料の意味である。また、遠赤外線放射組成物を付与する部分を少なくとも甲型部材のライナの表面とする趣旨は、遠赤外線放射機能を有する中敷きが従来より提供されていることから、このような中敷きを使用する際には、本考案の靴底部材に重ねて遠赤外線放射組成物を付与しなくても足りるからである。
【００１３】
本考案の請求項３に記載の長靴は、足の甲部と爪先部および足の両側から踵部を足のすね部に及んで一体的に覆う甲型部材と、甲型部材に対し、甲型部材の底開口部を塞ぐように取り付ける靴底部材とを備え、甲型部材の内面と靴底部材の内面とを布地製のライナによって裏打ちしてなる長靴類において、少なくとも甲型部材のライナの表面に遠赤外線放射組成物による斑点模様を付与してなり、遠赤外線放射組成物は、軟質基材に珪素系のセラミックスパウダを混練して調製されていることを特徴とする。
【００１４】
上記構成を有する長靴は、足先の冷え易い寒冷環境や水場環境で使用されることの多い長靴に快適な足温度作用を付与することができる。
【００１５】
本考案の請求項４に記載の構成は、上記、請求項１に記載のスリッパ、請求項２に記載の短靴、請求項３に記載の長靴に適用する遠赤外線放射組成物において、遠赤外線放射組成物を組成する軟質基材が滑り止め機能を有するゴム系樹脂であることを特徴とする。
【００１６】
上記構成において、ゴム系樹脂による斑点模様は、靴下との間で適度な摩擦を発生させるので、特に、スリッパや長靴において抜け取れ感を防止し、履き物と足とが一体となって動作する快適な履き心地を提供することができる。このような作用は、足と履き物との間に強い滑り力が作用するスポーツ用の靴類においては、格別に意義のある作用である。
【考案の効果】
【００１７】
本考案に係るスリッパ、短靴および長靴は、これらの履き物の内張り用の被覆材やライナに対して、軟質基材と練り合わせた状態のセラミックスパウダ、すなわち、遠赤外線放射組成物を斑点模様を形成する態様で付与する手段を採用することによって、被覆材やライナに要求される着用感や通気性を害することなく、また、使用中におけるセラミックスパウダの脱落を発生させることなく安定にセラミックスパウダを適用することに成功し、遠赤外線放射による快適な足温効果を奏することができる。
【考案を実施するための最良の形態】
【００１８】
以下、図面を引用しながら本考案のスリッパ、短靴および長靴の実施の形態を説明する。
【００１９】
本考案のスリッパ１０は、スリッパ１０を使用する着用者の左右の足に対応する左右一組であり、それぞれ、甲型部材１１と足型部材１２とからなる（図１）。
【００２０】
甲型部材１１は、足の甲部と爪先部とを一体的に覆う中膨れの曲面部材であり、フェルトやスポンジ等の柔軟な芯材を布地製の被覆材１１Ｓ，１１Ｓで包装した部材である。足型部材１２は、甲型部材１１と同等の包装構造を有するものを足型の板状体に形成したものである。足型部材１２の裏面には、同形の敷板が貼着され、足型部材１２に厚みとクッション性を与えている。両者は、足型部材１２を甲型部材１１の底開口部を塞ぐように取り付けることによって一体化されている。ただし、甲型部材１１の側方には足を差し入れる開口部が形成される。
【００２１】
スリッパ１０の内面側、すなわち、甲型部材１１の裏面側の被覆材１１Ｓと足型部材１２の上面側の被覆材１２Ｓとには、遠赤外線放射組成物を使用しての斑点模様１５が形成されている。また、斑点模様１５は、円形のスポット状の基本図形５…多数個の集合によって形成されている。
【００２２】
各個の基本図形５を形成している遠赤外線放射組成物は、軟質基材とセラミックスパウダとの混練組成物である。軟質基材には、軟化剤を添加したポリエチレン、ポリプロピレン、ポリエステルや軟質合成ゴム、天然ゴム類を使用し、セラミックスパウダには、従来からの使用実績が認められる珪素系のものを使用する。
【００２３】
遠赤外線放射組成物における軟質基材は、足肌に硬質な違和感を与えることなくセラミックスパウダを安定にスリッパ１０の被覆材１１Ｓに固定することを目的としている。したがって、軟質基材とセラミックスパウダとの配合割合は、軟質基材を要求される性質を失うことなくセラミックスパウダを受け入れられる割合として考えることができる。この結果として、適切な粘度に調製された状態の軟質基材１００重量部に対し、セラミックスパウダを１００重量部ないし３００重量部配合する配合割合が適当である。なお、この数値は、軟質基材とセラミックスパウダの比重が極端に異なるため容積割合の場合の数値感覚とは大きく異なる。
【００２４】
スリッパ１０の被覆材１１Ｓに対する斑点模様１５の形成は、裁断前の被覆材１１Ｓの布地材料に対してパンチングメタル様の型板４０を用いて吹き付けまたはローラ塗りの要領で実施する（図２）。すなわち、平面状に展開した被覆材１１Ｓを型板４０で押さえ込み、型板４０の上から遠赤外線放射組成物を吹き付け、または、塗り込むのである。この結果、被覆材１１Ｓには、型板の抜き孔４１，４２の形状に倣った形状を基本図形５，５Ｂとする斑点模様１５が形成される。なお、図２は、型板４０の厚みと抜き孔４１，４２のサイズが一枚の型板４０において変化する場合を示している。
【００２５】
次いで、遠赤外線放射組成物による斑点模様１５を短靴２０および長靴３０に適用する場合についてスリッパ１０の場合と異なる点を主に説明する（図３，図４）。
【００２６】
短靴２０は、足の甲部と爪先部および足の両側から踵部を一体的に覆う甲型部材２１と、甲型部材２１の底開口部を塞ぐように取り付ける靴底部材２２とからなる（図３）。甲型部材２１の内面と靴底部材２２の内面とは、いずれも布地製のライナ２１Ｓ，２２Ｓによって内張りされている。そして、遠赤外線放射組成物による斑点模様１５は、内張りであるライナ２１Ｓ，２２Ｓに付与されている。ライナ２１Ｓ，２２Ｓに対する斑点模様１５の付与は、ライナ用の平面的な布地材料の段階で付与する。
【００２７】
靴底部材２２のライナ２２Ｓには、サイズと突出高さが異なる２種類の基本図形５…，５Ｂ…が採用されている。具体的には、足の土踏まずに対応する位置に大きいサイズで突出高さが高い基本図形５Ｂが配置されている。このような異なる基本図形５，５Ｂの混在する斑点模様１５は、前述のように途中で厚みと抜き孔４１，４２のサイズが異なる型板４０を使用することによって形成することができる（図２）。例えば、抜き孔４１…を有する一部の厚みがＴ１であって、より大径の抜き孔４２…を有する他の部分の厚みがＴ２である型板４０を用いる場合には、ライナ２２Ｓには、抜き孔４１と抜き孔４２とに対応するサイズと突出高さを有する基本図形が形成される。
【００２８】
長靴３０は、足の甲部と爪先部および足の両側から踵部を足のすね部に及んで一体的に覆う甲型部材３１と、甲型部材３１の底開口部を塞ぐように取り付ける靴底部材３２とを備え、甲型部材３１の内面と靴底部材３２の内面とを布地製のライナ３１Ｓ，３２Ｓによって裏打ちしてなる（図４）。長靴３０における斑点模様１５は、長靴３０の内面全体であるライナ３１Ｓ，３２Ｓの全体に均等に付与されている。長靴３０類は、足を挿入し易いように表示サイズより大き目に製造されることから、その重みによる不愉快な抜け取れ感を伴うものであるが、斑点模様１５の付与によってこの不愉快な感覚が解消される。
【００２９】
以上の説明において、スポーツ用のズックやシューズ類は、図示しなかったが、これらは、本考案の短靴２０に含まれると理解される。これらスポーツ用の履き物には、遠赤外線放射組成物を組成する軟質基材にゴム系のものを使用することにより、足と履き物との間における顕著な滑り止め効果が得られるので特に付記する。
【図面の簡単な説明】
【００３０】
【図１】本考案のスリッパの実施の形態を示す斜視図である。
【図２】本考案を構成する斑点模様の形成方法を示す断面図である。
【図３】本考案の短靴の実施の形態を示す斜視図である。
【図４】本考案の長靴の実施の形態を示す斜視図である。
【符号の説明】
【００３１】
１０      スリッパ
１１      甲型部材
１１Ｓ    被覆材
１２      足型部材
１５      斑点模様
２０      短靴
２１      甲型部材
２１Ｓ    ライナ
２２      靴底部材
２２Ｓ    ライナ
３０      長靴
３１      甲型部材
３１Ｓ    ライナ
３２      靴底部材
３２Ｓ    ライナ
【図１】
0003120370.tif 000003
【図２】
0003120370.tif 000004
【図３】
0003120370.tif 000005
【図４】
0003120370.tif 000006